(57)【特許請求の範囲】
【請求項１】
複数の無線通信装置を備え、
前記複数の無線通信装置の１つがマスター装置となり、残りがスレーブ装置となり、
前記マスター装置及び前記スレーブ装置は、
各々が送信機及び受信機からなる複数の送受信機と、
ＲＦ（Radio Frequency）ケーブルを介して他の無線通信装置に接続される第１ポートと、を備え、
前記マスター装置は、さらに、
キャリブレーション用送受信機を備え、
前記マスター装置の前記第１ポートと前記スレーブ装置の前記第１ポートとが前記ＲＦケーブルを介して接続され、
送信キャリブレーションを実行する場合、
前記スレーブ装置の各送信機は、前記ＲＦケーブルを介して、前記マスター装置の前記キャリブレーション用送受信機に送信キャリブレーション信号を送信し、
受信キャリブレーションを実行する場合、
前記マスター装置の前記キャリブレーション用送受信機は、前記ＲＦケーブルを介して、前記スレーブ装置の各受信機に受信キャリブレーション信号を送信する、
無線通信システム。
【請求項２】
前記マスター装置及び前記スレーブ装置は、
ネットワークケーブルを介して他の無線通信装置に接続される第２ポートと、
制御部と、をさらに備え、
前記マスター装置の前記第２ポートと前記スレーブ装置の前記第２ポートとが前記ネットワークケーブルを介して接続され、
送信キャリブレーションを実行する場合、
前記マスター装置の前記キャリブレーション用送受信機は、前記スレーブ装置の各送信機から前記ＲＦケーブルを介して送信された送信キャリブレーション信号を受信すると共に、前記マスター装置の各送信機から送信された送信キャリブレーション信号も受信し、
前記マスター装置の前記制御部は、前記マスター装置及び前記スレーブ装置の各送信機から送信された送信キャリブレーション信号と、元の送信キャリブレーション信号と、の振幅及び位相の差分を測定し、該測定結果を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
請求項１に記載の無線通信システム。
【請求項３】
受信キャリブレーションを実行する場合、
前記マスター装置の前記キャリブレーション用送受信機は、前記マスター装置の各受信機にも受信キャリブレーション信号を送信し、
前記スレーブ装置の前記制御部は、前記スレーブ装置の各受信機で受信された受信キャリブレーション信号と、元の受信キャリブレーション信号と、の振幅及び位相の差分を測定し、該測定結果を、前記ネットワークケーブルを介して、前記マスター装置の前記制御部に送信し、
前記マスター装置の前記制御部は、前記マスター装置の各受信機で受信された受信キャリブレーション信号と、元の受信キャリブレーション信号と、の振幅及び位相の差分を測定し、該測定結果と、前記スレーブ装置の各受信機で受信された受信キャリブレーション信号の測定結果と、を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
請求項２に記載の無線通信システム。
【請求項４】
第１分配合成器と、
第２分配合成器と、をさらに備え、
前記無線通信装置が３つ以上で、前記スレーブ装置が複数となる場合、
前記マスター装置の前記第１ポートを、前記ＲＦケーブルを介して前記第１分配合成器に接続すると共に、複数の前記スレーブ装置の各々の前記第１ポートを、前記ＲＦケーブルを介して前記第１分配合成器に接続し、
前記マスター装置の前記第２ポートを、前記ネットワークケーブルを介して前記第２分配合成器に接続すると共に、複数の前記スレーブ装置の各々の前記第２ポートを、前記ネットワークケーブルを介して前記第２分配合成器に接続する、
請求項２又は３に記載の無線通信システム。
【請求項５】
１つがマスター装置となり、残りがスレーブ装置となる複数の無線通信装置のうちの１つの無線通信装置であって、
各々が送信機及び受信機からなる複数の送受信機と、
ＲＦ（Radio Frequency）ケーブルを介して他の無線通信装置に接続される第１ポートと、
キャリブレーション用送受信機と、を備え、
自装置が前記マスター装置となる状況では、前記第１ポートが前記スレーブ装置の前記第１ポートと前記ＲＦケーブルを介して接続され、
自装置が前記スレーブ装置となる状況では、前記第１ポートが前記マスター装置の前記第１ポートと前記ＲＦケーブルを介して接続され、
自装置が前記スレーブ装置となる状況で、送信キャリブレーションを実行する場合、各送信機は、前記ＲＦケーブルを介して、前記マスター装置の前記キャリブレーション用送受信機に送信キャリブレーション信号を送信し、
自装置が前記マスター装置となる状況で、受信キャリブレーションを実行する場合、前記キャリブレーション用送受信機は、前記ＲＦケーブルを介して、前記スレーブ装置の各受信機に受信キャリブレーション信号を送信する、
無線通信装置。
【請求項６】
ネットワークケーブルを介して他の無線通信装置に接続される第２ポートと、
制御部と、をさらに備え、
自装置が前記マスター装置となる状況では、前記第２ポートが前記スレーブ装置の前記第２ポートと前記ネットワークケーブルを介して接続され、
自装置が前記スレーブ装置となる状況では、前記第２ポートが前記マスター装置の前記第２ポートと前記ネットワークケーブルを介して接続され、
自装置が前記マスター装置となる状況で、送信キャリブレーションを実行する場合、前記キャリブレーション用送受信機は、前記スレーブ装置の各送信機から前記ＲＦケーブルを介して送信された送信キャリブレーション信号を受信すると共に、前記マスター装置の各送信機から送信された送信キャリブレーション信号も受信し、前記制御部は、前記マスター装置及び前記スレーブ装置の各送信機から送信された送信キャリブレーション信号と、元の送信キャリブレーション信号と、の振幅及び位相の差分を測定し、該測定結果を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
請求項５に記載の無線通信装置。
【請求項７】
自装置が前記マスター装置となる状況で、受信キャリブレーションを実行する場合、前記キャリブレーション用送受信機は、前記マスター装置の各受信機にも受信キャリブレーション信号を送信し、
自装置が前記スレーブ装置となる状況で、受信キャリブレーションを実行する場合、前記制御部は、前記スレーブ装置の各受信機で受信された受信キャリブレーション信号と、元の受信キャリブレーション信号と、の振幅及び位相の差分を測定し、該測定結果を、前記ネットワークケーブルを介して、前記マスター装置の前記制御部に送信し、
自装置が前記マスター装置となる状況で、受信キャリブレーションを実行する場合、前記制御部は、前記マスター装置の各受信機で受信された受信キャリブレーション信号と、元の受信キャリブレーション信号と、の振幅及び位相の差分を測定し、該測定結果と、前記スレーブ装置の各受信機で受信された受信キャリブレーション信号の測定結果と、を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
請求項６に記載の無線通信装置。
【請求項８】
１つがマスター装置となり、残りがスレーブ装置となる複数の無線通信装置のうちの１つの無線通信装置による無線通信方法であって、
前記無線通信装置は、各々が送信機及び受信機からなる複数の送受信機を備えるものであり、
自装置が前記マスター装置となる状況では、前記スレーブ装置とＲＦ（Radio Frequency）ケーブルを介して接続し、
自装置が前記スレーブ装置となる状況では、前記マスター装置と前記ＲＦケーブルを介して接続し、
自装置が前記スレーブ装置となる状況で、送信キャリブレーションを実行する場合、各送信機から、前記ＲＦケーブルを介して、前記マスター装置に送信キャリブレーション信号を送信し、
自装置が前記マスター装置となる状況で、受信キャリブレーションを実行する場合、前記ＲＦケーブルを介して、前記スレーブ装置の各受信機に受信キャリブレーション信号を送信する、
無線通信方法。
【請求項９】
自装置が前記マスター装置となる状況では、前記スレーブ装置とネットワークケーブルを介して接続し、
自装置が前記スレーブ装置となる状況では、前記マスター装置と前記ネットワークケーブルを介して接続し、
自装置が前記マスター装置となる状況で、送信キャリブレーションを実行する場合、前記スレーブ装置の各送信機から前記ＲＦケーブルを介して送信された送信キャリブレーション信号を受信すると共に、前記マスター装置の各送信機から送信された送信キャリブレーション信号も受信し、前記マスター装置及び前記スレーブ装置の各送信機から送信された送信キャリブレーション信号と、元の送信キャリブレーション信号と、の振幅及び位相の差分を測定し、該測定結果を基に、前記マスター装置及び前記スレーブ装置の各送信機のウェイトを計算し、前記スレーブ装置の各送信機のウェイトを、前記ネットワークケーブルを介して、前記スレーブ装置に送信する、
請求項８に記載の無線通信方法。
【請求項１０】
１つがマスター装置となり、残りがスレーブ装置となる複数の無線通信装置のうちの１つの無線通信装置に実行させるためのプログラムであって、
前記無線通信装置は、各々が送信機及び受信機からなる複数の送受信機を備えるものであり、
前記プログラムは、
自装置が前記マスター装置となる状況では、前記スレーブ装置とＲＦ（Radio Frequency）ケーブルを介して接続する手順と、
自装置が前記スレーブ装置となる状況では、前記マスター装置と前記ＲＦケーブルを介して接続する手順と、
自装置が前記スレーブ装置となる状況で、送信キャリブレーションを実行する場合、各送信機から、前記ＲＦケーブルを介して、前記マスター装置に送信キャリブレーション信号を送信する手順と、
自装置が前記マスター装置となる状況で、受信キャリブレーションを実行する場合、前記ＲＦケーブルを介して、前記スレーブ装置の各受信機に受信キャリブレーション信号を送信する手順と、
を含む、プログラム。
【発明の詳細な説明】
【技術分野】
【０００１】
本開示は、無線通信システム、無線通信装置、無線通信方法、及び非一時的なコンピュータ可読媒体に関する。
【背景技術】
【０００２】
無線通信システムの大容量化を実現する技術の１つとして、基地局が、複数のアンテナを使用して、複数の端末との間で同時に通信を行うＭＵ−ＭＩＭＯ（Multi User - Multi Input Multi Output）が挙げられる。【０００３】
基地局は、ＭＵ−ＭＩＭＯの実行時には、アンテナから放射されるビームの指向性を制御するビームフォーミングを行う。ビームフォーミングにおいては、空間多重を行う端末のうち任意の端末への希望波の方向の指向性を高くする一方で、他の端末の方向にＮｕｌｌを生成し、他の端末への干渉ビームを抑圧する。【０００４】
その一方で、近年、基地局にＡＡＳ（Active Antenna System、アクティブアンテナシステム）を用いることが検討されている（例えば、特許文献１参照）。ＡＡＳは、複数のアンテナと、複数のアンテナの各々に対応して設けられた複数の送受信機と、を内蔵したものである。基地局にＡＡＳを用いることにより、小型化を図れる等の利点がある。【０００５】
ＡＡＳは、内蔵された各送受信機に振幅及び位相のばらつきがあると、ビームフォーミングの精度が劣化する。そのため、ＡＡＳの内部では、内蔵された各送受信機の振幅及び位相のばらつきを補償するために、キャリブレーションを行う。
【先行技術文献】
【特許文献】
【０００６】
【特許文献１】特開２０１７−１９５４６３号公報
【発明の概要】
【発明が解決しようとする課題】
【０００７】
ところで、無線通信システムにおいては、実環境特性、端末数、通信需要等によっては、到達距離やカバレッジの拡張を図ることが要求されることがある。この要求に応えるためには、複数のＡＡＳを稼働させ、ＭＵ−ＭＩＭＯ実行時のＮｕｌｌ生成の自由度を上げることによって、空間多重数や多重化方向の拡張、並びに空間多重時の各端末間伝送距離の拡張を行い、送受信性能を改善することが考えられる。この場合、基本数の送受信機を内蔵したＡＡＳを最小構成単位として、複数のＡＡＳを縦続接続して、個々のケースに最適に対応することになる。【０００８】
しかし、複数のＡＡＳを設ける場合、ＡＡＳの内部で各送受信機の振幅及び位相のばらつきを補償すること以外に、ＡＡＳ間でも各送受信機の振幅及び位相のばらつきを補償する必要があるという課題がある。【０００９】
本開示の目的は、上述した課題を解決し、複数の無線通信装置の各送受信機の振幅及び位相のばらつきを補償することができる無線通信システム、無線通信装置、無線通信方法、及び非一時的なコンピュータ可読媒体を提供することにある。
【課題を解決するための手段】
【００１０】
一態様による無線通信システムは、
複数の無線通信装置を備え、
前記複数の無線通信装置の１つがマスター装置となり、残りがスレーブ装置となり、
前記マスター装置及び前記スレーブ装置は、
各々が送信機及び受信機からなる複数の送受信機と、
ＲＦ（Radio Frequency）ケーブルを介して他の無線通信装置に接続される第１ポートと、を備え、
前記マスター装置は、さらに、
キャリブレーション用送受信機を備え、
前記マスター装置の前記第１ポートと前記スレーブ装置の前記第１ポートとが前記ＲＦケーブルを介して接続され、
送信キャリブレーションを実行する場合、
前記スレーブ装置の各送信機は、前記ＲＦケーブルを介して、前記マスター装置の前記キャリブレーション用送受信機に送信キャリブレーション信号を送信し、
受信キャリブレーションを実行する場合、
前記マスター装置の前記キャリブレーション用送受信機は、前記ＲＦケーブルを介して、前記スレーブ装置の各受信機に受信キャリブレーション信号を送信する。【００１１】
一態様による無線通信装置は、
１つがマスター装置となり、残りがスレーブ装置となる複数の無線通信装置のうちの１つの無線通信装置であって、
各々が送信機及び受信機からなる複数の送受信機と、
ＲＦ（Radio Frequency）ケーブルを介して他の無線通信装置に接続される第１ポートと、
キャリブレーション用送受信機と、を備え、
自装置が前記マスター装置となる状況では、前記第１ポートが前記スレーブ装置の前記第１ポートと前記ＲＦケーブルを介して接続され、
自装置が前記スレーブ装置となる状況では、前記第１ポートが前記マスター装置の前記第１ポートと前記ＲＦケーブルを介して接続され、
自装置が前記スレーブ装置となる状況で、送信キャリブレーションを実行する場合、各送信機は、前記ＲＦケーブルを介して、前記マスター装置の前記キャリブレーション用送受信機に送信キャリブレーション信号を送信し、
自装置が前記マスター装置となる状況で、受信キャリブレーションを実行する場合、前記キャリブレーション用送受信機は、前記ＲＦケーブルを介して、前記スレーブ装置の各受信機に受信キャリブレーション信号を送信する。【００１２】
一態様による無線通信方法は、
１つがマスター装置となり、残りがスレーブ装置となる複数の無線通信装置のうちの１つの無線通信装置による無線通信方法であって、
前記無線通信装置は、各々が送信機及び受信機からなる複数の送受信機を備えるものであり、
自装置が前記マスター装置となる状況では、前記スレーブ装置とＲＦ（Radio Frequency）ケーブルを介して接続し、
自装置が前記スレーブ装置となる状況では、前記マスター装置と前記ＲＦケーブルを介して接続し、
自装置が前記スレーブ装置となる状況で、送信キャリブレーションを実行する場合、各送信機から、前記ＲＦケーブルを介して、前記マスター装置に送信キャリブレーション信号を送信し、
自装置が前記マスター装置となる状況で、受信キャリブレーションを実行する場合、前記ＲＦケーブルを介して、前記スレーブ装置の各受信機に受信キャリブレーション信号を送信する。【００１３】
一態様による非一時的なコンピュータ可読媒体は、
１つがマスター装置となり、残りがスレーブ装置となる複数の無線通信装置のうちの１つの無線通信装置に実行させるためのプログラムを格納した非一時的なコンピュータ可読媒体であって、
前記無線通信装置は、各々が送信機及び受信機からなる複数の送受信機を備えるものであり、
前記プログラムは、
自装置が前記マスター装置となる状況では、前記スレーブ装置とＲＦ（Radio Frequency）ケーブルを介して接続する手順と、
自装置が前記スレーブ装置となる状況では、前記マスター装置と前記ＲＦケーブルを介して接続する手順と、
自装置が前記スレーブ装置となる状況で、送信キャリブレーションを実行する場合、各送信機から、前記ＲＦケーブルを介して、前記マスター装置に送信キャリブレーション信号を送信する手順と、
自装置が前記マスター装置となる状況で、受信キャリブレーションを実行する場合、前記ＲＦケーブルを介して、前記スレーブ装置の各受信機に受信キャリブレーション信号を送信する手順と、
を含む。
【発明の効果】
【００１４】
上述の態様によれば、複数の無線通信装置の各送受信機の振幅及び位相のばらつきを補償することができる無線通信システム、無線通信装置、無線通信方法、及び非一時的なコンピュータ可読媒体を提供できるという効果が得られる。
【図面の簡単な説明】
【００１５】
【図１】実施の形態１に係る無線通信システムの構成の一例を示す図である。
【図２】実施の形態１に係るＡＡＳの構成の一例を示す回路図である。
【図３】実施の形態１に係る無線通信システムのＤＬキャリブレーション動作の一例を説明する図である。
【図４】実施の形態１に係るマスターＡＡＳのＤＬキャリブレーション動作の一例を説明する図である。
【図５】実施の形態１に係るスレーブＡＡＳのＤＬキャリブレーション動作の一例を説明する図である。
【図６】実施の形態１に係る無線通信システムのＵＬキャリブレーション動作の一例を説明する図である。
【図７】実施の形態１に係るマスターＡＡＳのＵＬキャリブレーション動作の一例を説明する図である。
【図８】実施の形態１に係るスレーブＡＡＳのＵＬキャリブレーション動作の一例を説明する図である。
【図９】実施の形態２に係る無線通信システムの構成の一例を示す図である。
【図１０】実施の形態２に係る無線通信システムのＤＬキャリブレーション動作の一例を説明する図である。
【図１１】実施の形態２に係る無線通信システムのＵＬキャリブレーション動作の一例を説明する図である。
【発明を実施するための形態】
【００１６】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１７】
（１）実施の形態１
本実施の形態１は、２台のＡＡＳを備える無線通信システムの例である。無線通信システムが２台のＡＡＳを備える場合、このうちの１台がマスターＡＡＳ（Master AAS）となり、残りの１台がスレーブＡＡＳ（Slave AAS）となる。なお、２台のＡＡＳのうちのどれがマスターＡＡＳになるかは、外部から各ＡＡＳへの制御で任意に設定する事ができるが、ここでは予め制御・設定されているものとする。
【００１８】
まず、本実施の形態１に係る無線通信システムの構成について説明する。図１は、本実施の形態１に係る無線通信システムの構成の一例を示す図である。
図１に示されるように、本実施の形態１に係る無線通信システムは、１台のマスターＡＡＳ１００−Ｍと、１台のスレーブＡＡＳ１００−Ｓと、を備えている。以下、単に「ＡＡＳ１００」と記載するときは、マスターＡＡＳ１００−Ｍ及びスレーブＡＡＳ１００−Ｓの双方を指すものとする。ＡＡＳ１００は、無線通信装置の一例であり、マスターＡＡＳ１００−Ｍは、マスター装置の一例であり、スレーブＡＡＳ１００−Ｓは、スレーブ装置の一例である。
【００１９】
マスターＡＡＳ１００−Ｍは、マスターＡＡＳ１００−Ｍ及びスレーブＡＡＳ１００−Ｓの各送受信機の振幅及び位相のばらつきを補償するための送信キャリブレーション及び受信キャリブレーションを一括して実行する。
本実施の形態１に係る無線通信システムは、マスターＡＡＳ１００−Ｍ及びスレーブＡＡＳ１００−Ｓを基地局に用いることを想定している。そのため、マスターＡＡＳ１００−Ｍは、送信キャリブレーションとしてＤＬ（Downlink）キャリブレーション（図中、DL CALと表記することがある）を実行し、受信キャリブレーションとしてＵＬ（Uplink）キャリブレーション（図中、UL CALと表記することがある）を実行する。
【００２０】
マスターＡＡＳ１００−ＭとスレーブＡＡＳ１００−Ｓとは、ＲＦ（Radio Frequency）ケーブルで接続されている。ＲＦケーブルは、高周波ケーブル、同軸ケーブル、導波管等である。これにより、ＤＬキャリブレーションを実行する場合は、送信キャリブレーション信号であるＤＬキャリブレーション信号（ＲＦ信号）を、スレーブＡＡＳ１００−Ｓの各送信機からマスターＡＡＳ１００−Ｍへ、ＲＦケーブルを介して、送信することができる。また、ＵＬキャリブレーションを実行する場合は、受信キャリブレーション信号であるＵＬキャリブレーション信号（ＲＦ信号）を、マスターＡＡＳ１００−ＭからスレーブＡＡＳ１００−Ｓの各受信機へ、ＲＦケーブルを介して、送信することができる。
【００２１】
また、マスターＡＡＳ１００−ＭとスレーブＡＡＳ１００−Ｓとは、イーサネット（Ethernet）（登録商標）ケーブルでも接続されている。イーサネットケーブルは、ネットワークケーブルの一例である。マスターＡＡＳ１００−ＭとスレーブＡＡＳ１００−Ｓとの間では、イーサネットケーブルを介して、ＤＬキャリブレーションの実行結果（各送信機の振幅及び位相のばらつきを補償するためのウェイト（Weight））、並びにＵＬキャリブレーションの実行結果（各受信機の振幅及び位相のばらつきを補償するためのウェイト）や、ＵＬキャリブレーション時のスレーブＡＡＳ１００−ＳのＵＬキャリブレーション信号の受信情報等が送受信される。
【００２２】
次に、本実施の形態１に係るマスターＡＡＳ１００−Ｍ及びスレーブＡＡＳ１００−Ｓの構成について説明する。マスターＡＡＳ１００−Ｍ及びスレーブＡＡＳ１００−Ｓの構成自体は同様であるため、ＡＡＳ１００の構成として説明する。図２は、本実施の形態１に係るＡＡＳ１００の構成の一例を示す回路図である。
【００２３】
図２に示されるように、本実施の形態１に係るＡＡＳ１００は、光トランシーバ１０、ベースバンド（ＢＢ：Baseband）部２０、フロントエンド（Frontend）部３０、及び、複数個（（ｎ＋１）個。ｎは１以上の自然数）のアンテナ４０を備えている。フロントエンド部３０は、複数個のアンテナ４０のそれぞれに対応して、送受信機（ＴＲＸ）３１、送信アンプ３２、受信アンプ３３、及びスイッチ（ＳＷ）３４を、それぞれ複数個（（ｎ＋１）個）備えている。各送受信機３１は、不図示の送信機（以下、送信機ＴＸと称す）及び受信機（以下、送信機ＴＸと称す）を備えている。さらに、本実施の形態１に係るＡＡＳ１００は、キャリブレーション用送受信機（ＣＡＬ−ＴＲＸ）５１、スイッチ（ＳＷ）５２，５４、及び分配合成器５３を備えている。さらに、本実施の形態１に係るＡＡＳ１００は、ＲＦ用出力ポート５５、ＲＦ用入力ポート５６、イーサネット用出力ポート６１、及びイーサネット用入力ポート６２を備えている。
【００２４】
ＲＦ用出力ポート５５は、ＲＦケーブルを介して、他のＡＡＳ１００のＲＦ用入力ポート５６に接続される。ＲＦ用入力ポート５６は、ＲＦケーブルを介して、他のＡＡＳ１００のＲＦ用出力ポート５５に接続される。具体的には、マスターＡＡＳ１００−ＭのＲＦ用出力ポート５５とスレーブＡＡＳ１００−ＳのＲＦ用入力ポート５６とが接続され、マスターＡＡＳ１００−ＭのＲＦ用入力ポート５６とスレーブＡＡＳ１００−ＳのＲＦ用出力ポート５５とが接続される。ＲＦ用出力ポート５５及びＲＦ用入力ポート５６は、第１ポートの一例である。
【００２５】
イーサネット用出力ポート６１は、イーサネットケーブルを介して、他のＡＡＳ１００のイーサネット用入力ポート６２に接続される。イーサネット用入力ポート６２は、イーサネットケーブルを介して、他のＡＡＳ１００のイーサネット用出力ポート６１に接続される。具体的には、マスターＡＡＳ１００−Ｍのイーサネット用出力ポート６１とスレーブＡＡＳ１００−Ｓのイーサネット用入力ポート６２とが接続され、マスターＡＡＳ１００−Ｍのイーサネット用入力ポート６２とスレーブＡＡＳ１００−Ｓのイーサネット用出力ポート６１とが接続される。イーサネット用出力ポート６１及びイーサネット用入力ポート６２は、第２ポートの一例である。
【００２６】
光トランシーバ１０は、不図示の光伝送路とベースバンド部２０との間で送受信される信号の光電変換及びその逆の変換を行う。
ベースバンド部２０は、ＤＬキャリブレーションを実行する場合は、各送信機ＴＸにＤＬキャリブレーション信号ＩＱ（ＩＱ信号）を出力する。また、ベースバンド部２０は、自ＡＡＳ１００がマスターＡＡＳ１００−Ｍである状況で、ＵＬキャリブレーションを実行する場合は、キャリブレーション用送受信機５１にＵＬキャリブレーション信号ＩＱ（ＩＱ信号）を出力する。ベースバンド部２０は、制御部の一例である。
【００２７】
送受信機３１は、上述のように、不図示の送信機ＴＸ及び受信機ＲＸを備えている。送信機ＴＸは、ＤＬキャリブレーションを実行する場合に、ベースバンド部２０から出力されたＤＬキャリブレーション信号ＩＱ（ＩＱ信号）をＤＬキャリブレーション信号（ＲＦ信号）に変換し、変換したＤＬキャリブレーション信号を送信する。受信機ＲＸは、ＵＬキャリブレーションを実行する場合に、ＵＬキャリブレーション信号（ＲＦ信号）を受信し、受信したＵＬキャリブレーション信号をＵＬキャリブレーション信号ＩＱ（ＩＱ信号）に変換し、変換したＵＬキャリブレーション信号ＩＱをベースバンド部２０に出力する。
【００２８】
送信アンプ３２は、ＤＬキャリブレーションを実行する場合に、ＤＬキャリブレーション信号を増幅する。受信アンプ３３は、ＵＬキャリブレーションを実行する場合に、ＵＬキャリブレーション信号を増幅する。
スイッチ３４は、信号方向を切り替えるスイッチである。スイッチ３４は、ＤＬキャリブレーションを実行する場合は、送信アンプ３２から出力されたＤＬキャリブレーション信号を分配合成器５３に出力する。また、スイッチ３４は、ＵＬキャリブレーションを実行する場合は、分配合成器５３から出力されたＵＬキャリブレーション信号を受信アンプ３３に出力する。
【００２９】
分配合成器５３は、ＤＬキャリブレーションを実行する場合は、各スイッチ３４から出力されたＤＬキャリブレーション信号を合成し、合成したＤＬキャリブレーション信号をスイッチ５４に出力する。また、分配合成器５３は、ＵＬキャリブレーションを実行する場合は、スイッチ５４から出力されたＵＬキャリブレーション信号を分配し、分配したＵＬキャリブレーション信号を各スイッチ３４に出力する。
【００３０】
スイッチ５４は、信号方向を切り替えるスイッチである。スイッチ５４は、自ＡＡＳ１００がマスターＡＡＳ１００−Ｍである状況で、ＤＬキャリブレーションを実行する場合は、分配合成器５３及びＲＦ用入力ポート５６から出力されたＤＬキャリブレーション信号をスイッチ５２に出力する。また、スイッチ５４は、自ＡＡＳ１００がスレーブＡＡＳ１００−Ｓである状況で、ＤＬキャリブレーションを実行する場合は、分配合成器５３から出力されたＤＬキャリブレーション信号をＲＦ用出力ポート５５に出力する。また、スイッチ５４は、自ＡＡＳ１００がマスターＡＡＳ１００−Ｍである状況で、ＵＬキャリブレーションを実行する場合は、スイッチ５２から出力されたＵＬキャリブレーション信号を分配合成器５３及びＲＦ用出力ポート５５に出力する。また、スイッチ５４は、自ＡＡＳ１００がスレーブＡＡＳ１００−Ｓである状況で、ＵＬキャリブレーションを実行する場合は、ＲＦ用入力ポート５６から出力されたＤＬキャリブレーション信号を分配合成器５３に出力する。
【００３１】
スイッチ５２は、信号方向を切り替えるスイッチである。スイッチ５２は、自ＡＡＳ１００がマスターＡＡＳ１００−Ｍである状況で、ＤＬキャリブレーションを実行する場合は、スイッチ５４から出力されたＤＬキャリブレーション信号をキャリブレーション用送受信機５１に出力する。また、スイッチ５２は、自ＡＡＳ１００がマスターＡＡＳ１００−Ｍである状況で、ＵＬキャリブレーションを実行する場合は、キャリブレーション用送受信機５１から出力されたＵＬキャリブレーション信号をスイッチ５４に出力する。
【００３２】
キャリブレーション用送受信機５１は、ＤＬキャリブレーションを実行する場合は、スイッチ５２から出力されたＤＬキャリブレーション信号（ＲＦ信号）をＤＬキャリブレーション信号ＩＱ（ＩＱ信号）に変換し、変換したＤＬキャリブレーション信号ＩＱをベースバンド部２０に出力する。また、キャリブレーション用送受信機５１は、ＵＬキャリブレーションを実行する場合は、ベースバンド部２０から出力されたＵＬキャリブレーション信号ＩＱ（ＩＱ信号）をＵＬキャリブレーション信号（ＲＦ信号）に変換し、変換したＵＬキャリブレーション信号をスイッチ５２に出力する。なお、キャリブレーション用送受信機５１は、送受信機３１と同様に、送信機及び受信機を備えていても良い。
【００３３】
ベースバンド部２０は、自ＡＡＳ１００がマスターＡＡＳ１００−Ｍである状況で、ＤＬキャリブレーションを実行する場合は、マスターＡＡＳ１００−Ｍ及びスレーブＡＡＳ１００−Ｓの各送信機ＴＸの振幅及び位相のばらつきを補償するためのウェイトを計算する。また、ベースバンド部２０は、スレーブＡＡＳ１００−Ｓの各送信機ＴＸのウェイトを、イーサネット用出力ポート６１を介して、スレーブＡＡＳ１００−Ｓに送信する。
【００３４】
また、ベースバンド部２０は、自ＡＡＳ１００がマスターＡＡＳ１００−Ｍである状況で、ＵＬキャリブレーションを実行する場合は、マスターＡＡＳ１００−Ｍ及びスレーブＡＡＳ１００−Ｓの各受信機ＲＸの振幅及び位相のばらつきを補償するためのウェイトを計算する。また、ベースバンド部２０は、スレーブＡＡＳ１００−Ｓの各受信機ＲＸのウェイトを、イーサネット用出力ポート６１を介して、スレーブＡＡＳ１００−Ｓに送信する。
【００３５】
以下、本実施の形態１に係る無線通信システムのＤＬキャリブレーション動作及びＵＬキャリブレーション動作について説明する。
【００３６】
＜ＤＬキャリブレーション動作＞
まず、ＤＬキャリブレーション動作について説明する。図３は、本実施の形態１に係る無線通信システムのＤＬキャリブレーション動作の一例を説明する図である。図４は、本実施の形態１に係るマスターＡＡＳ１００−ＭのＤＬキャリブレーション動作の一例を説明する図である。図５は、本実施の形態１に係るスレーブＡＡＳ１００−ＳのＤＬキャリブレーション動作の一例を説明する図である。なお、マスターＡＡＳ１００−Ｍ及びスレーブＡＡＳ１００−Ｓには、共通のＤＬキャリブレーション信号ＩＱが予め設定されているものとする。
【００３７】
図３〜図５に示されるように、マスターＡＡＳ１００−Ｍにおいては、ベースバンド部２０は、予め設定されたＤＬキャリブレーション信号ＩＱを各送信機ＴＸに出力する。各送信機ＴＸは、ＤＬキャリブレーション信号ＩＱをＤＬキャリブレーション信号に変換する。各送信機ＴＸで変換されたＤＬキャリブレーション信号は、送信アンプ３２及びスイッチ３４を介して、分配合成器５３に出力され、分配合成器５３で合成される。分配合成器５３で合成されたＤＬキャリブレーション信号は、スイッチ５４，５２を介してキャリブレーション用送受信機５１に出力される。
【００３８】
一方、スレーブＡＡＳ１００−Ｓにおいても、ベースバンド部２０は、予め設定されたＤＬキャリブレーション信号ＩＱを各送信機ＴＸに出力する。各送信機ＴＸは、ＤＬキャリブレーション信号ＩＱをＤＬキャリブレーション信号に変換する。各送信機ＴＸで変換されたＤＬキャリブレーション信号は、送信アンプ３２及びスイッチ３４を介して、分配合成器５３に出力され、分配合成器５３で合成される。分配合成器５３で合成されたＤＬキャリブレーション信号は、スイッチ５４及びＲＦ用出力ポート５５を介して、マスターＡＡＳ１００−Ｍに送信される。
【００３９】
マスターＡＡＳ１００−Ｍにおいては、スレーブＡＡＳ１００−Ｓから送信されたＤＬキャリブレーション信号は、ＲＦ用入力ポート５６から入力され、スイッチ５４，５２を介してキャリブレーション用送受信機５１に出力される。以上より、マスターＡＡＳ１００−Ｍのキャリブレーション用送受信機５１には、マスターＡＡＳ１００−Ｍ及びスレーブＡＡＳ１００−Ｓの各送信機ＴＸから送信されたＤＬキャリブレーション信号が揃うことになる。キャリブレーション用送受信機５１は、これらＤＬキャリブレーション信号をＤＬキャリブレーション信号ＩＱに変換してベースバンド部２０に出力する。ベースバンド部２０は、マスターＡＡＳ１００−Ｍ及びスレーブＡＡＳ１００−Ｓの各送信機ＴＸから送信されたＤＬキャリブレーション信号のＤＬキャリブレーション信号ＩＱと、元のＤＬキャリブレーション信号ＩＱと、の振幅及び位相の差分を測定することにより、マスターＡＡＳ１００−Ｍ及びスレーブＡＡＳ１００−Ｓの各送信機ＴＸから送信されたＤＬキャリブレーション信号の振幅及び位相のばらつきを学習する。ベースバンド部２０は、その学習結果を基に、マスターＡＡＳ１００−Ｍ及びスレーブＡＡＳ１００−Ｓの各送信機ＴＸのウェイトを計算する。ベースバンド部２０は、スレーブＡＡＳ１００−Ｓの各送信機ＴＸのウェイトを、イーサネット用出力ポート６１を介して、スレーブＡＡＳ１００−Ｓに送信する。
【００４０】
以上でＤＬキャリブレーション動作が終了する。
以降、通常のＤＬ動作時には、マスターＡＡＳ１００−Ｍのベースバンド部２０は、マスターＡＡＳ１００−Ｍの各送信機ＴＸに対し、その送信機ＴＸについて自身で計算したウェイトで重み付けしたＤＬ信号ＩＱを出力することになる。
一方、スレーブＡＡＳ１００−Ｓのベースバンド部２０は、スレーブＡＡＳ１００−Ｓの各送信機ＴＸに対し、その送信機ＴＸについてマスターＡＡＳ１００−Ｍのベースバンド部２０で計算されたウェイトで重み付けしたＤＬ信号ＩＱを出力することになる。
【００４１】
＜ＵＬキャリブレーション動作＞
次に、ＵＬキャリブレーション動作について説明する。図６は、本実施の形態１に係る無線通信システムのＵＬキャリブレーション動作の一例を説明する図である。図７は、本実施の形態１に係るマスターＡＡＳ１００−ＭのＵＬキャリブレーション動作の一例を説明する図である。図８は、本実施の形態１に係るスレーブＡＡＳ１００−ＳのＵＬキャリブレーション動作の一例を説明する図である。なお、マスターＡＡＳ１００−Ｍ及びスレーブＡＡＳ１００−Ｓには、共通のＵＬキャリブレーション信号ＩＱが予め設定されているものとする。
【００４２】
図６〜図８に示されるように、マスターＡＡＳ１００−Ｍにおいては、ベースバンド部２０は、予め設定されたＵＬキャリブレーション信号ＩＱをキャリブレーション用送受信機５１に出力する。キャリブレーション用送受信機５１は、ＵＬキャリブレーション信号ＩＱをＵＬキャリブレーション信号に変換する。キャリブレーション用送受信機５１で変換されたからＵＬキャリブレーション信号は、スイッチ５２，５４を介して、分配合成器５３に出力され、分配合成器５３で分配される。分配合成器５３で分配されたＵＬキャリブレーション信号は、スイッチ３４及び受信アンプ３３を介して、各受信機ＲＸに出力される。各受信機ＲＸは、ＵＬキャリブレーション信号をＵＬキャリブレーション信号ＩＱに変換してベースバンド部２０に出力する。ベースバンド部２０は、各受信機ＲＸで受信されたＵＬキャリブレーション信号のＵＬキャリブレーション信号ＩＱと、元のＵＬキャリブレーション信号ＩＱと、の振幅及び位相の差分を測定する。また、キャリブレーション用送受信機５１で変換されたＵＬキャリブレーション信号は、スイッチ５２，５４及びＲＦ用出力ポート５５を介して、スレーブＡＡＳ１００−Ｓにも送信される。
【００４３】
一方、スレーブＡＡＳ１００−Ｓにおいては、マスターＡＡＳ１００−Ｍから送信されたＵＬキャリブレーション信号は、ＲＦ用入力ポート５６から入力され、スイッチ５４を介して分配合成器５３に出力され、分配合成器５３で分配される。分配合成器５３で分配されたＵＬキャリブレーション信号は、スイッチ３４及び受信アンプ３３を介して、各受信機ＲＸに出力される。各受信機ＲＸは、ＵＬキャリブレーション信号をＵＬキャリブレーション信号ＩＱに変換してベースバンド部２０に出力する。ベースバンド部２０は、各受信機ＲＸで受信されたＵＬキャリブレーション信号のＵＬキャリブレーション信号ＩＱと、元のＵＬキャリブレーション信号ＩＱと、の振幅及び位相の差分を測定する。この測定結果は、ＵＬキャリブレーション測定結果として、イーサネット用出力ポート６１を介して、マスターＡＡＳ１００−Ｍに送信される。
【００４４】
マスターＡＡＳ１００−Ｍにおいては、スレーブＡＡＳ１００−Ｓから送信されたスレーブＡＡＳ１００−Ｓの各受信機ＲＸのＵＬキャリブレーション測定結果は、イーサネット用入力ポート６２から入力され、ベースバンド部２０に出力される。以上より、ベースバンド部２０には、マスターＡＡＳ１００−Ｍ及びスレーブＡＡＳ１００−Ｓの各受信機ＲＸのＵＬキャリブレーション測定結果が揃うことになる。ベースバンド部２０は、これらＵＬキャリブレーション測定結果を基に、マスターＡＡＳ１００−Ｍ及びスレーブＡＡＳ１００−Ｓの各受信機ＲＸで受信されたＵＬキャリブレーション信号の振幅及び位相のばらつきを学習する。ベースバンド部２０は、その学習結果を基に、マスターＡＡＳ１００−Ｍ及びスレーブＡＡＳ１００−Ｓの各受信機ＲＸのウェイトを計算する。ベースバンド部２０は、スレーブＡＡＳ１００−Ｓの各受信機ＲＸのウェイトを、イーサネット用出力ポート６１を介して、スレーブＡＡＳ１００−Ｓに送信する。
【００４５】
以上でＵＬキャリブレーション動作が終了する。
以降、通常のＵＬ動作には、マスターＡＡＳ１００−Ｍのベースバンド部２０は、マスターＡＡＳ１００−Ｍの各受信機ＲＸから出力されたＵＬ信号ＩＱに対し、その受信機ＲＸについて自身で計算したウェイトで重み付けすることになる。
一方、スレーブＡＡＳ１００−Ｓのベースバンド部２０は、スレーブＡＡＳ１００−Ｓの各受信機ＲＸから出力されたＵＬ信号ＩＱに対し、その受信機ＲＸについてマスターＡＡＳ１００−Ｍのベースバンド部２０で計算されたウェイトで重み付けすることになる。
【００４６】
上述したように本実施の形態１によれば、２台のＡＡＳ１００の１台がマスターＡＡＳ１００−Ｍ、残りの１台がスレーブＡＡＳ１００−Ｓとなり、マスターＡＡＳ１００−Ｍ及びスレーブＡＡＳ１００−Ｓを、ＲＦケーブルを介して接続する。ＤＬキャリブレーションを実行する場合は、ＤＬキャリブレーションに用いるＤＬキャリブレーション信号が、スレーブＡＡＳ１００−Ｓの各送信機ＴＸからマスターＡＡＳ１００−Ｍのキャリブレーション用送受信機５１へ、ＲＦケーブルを介して、送信される。また、ＵＬキャリブレーションを実行する場合は、ＵＬキャリブレーションに用いるＵＬキャリブレーション信号が、マスターＡＡＳ１００−Ｍのキャリブレーション用送受信機５１からスレーブＡＡＳ１００−Ｓの各受信機ＲＸへ、ＲＦケーブルを介して、送信される。
【００４７】
そのため、ＤＬキャリブレーションを実行する場合、スレーブＡＡＳ１００−Ｓの各送信機ＴＸからＤＬキャリブレーション信号を送信し、そのＤＬキャリブレーション信号をマスターＡＡＳ１００−Ｍのキャリブレーション用送受信機５１で受信できる。
また、ＵＬキャリブレーションを実行する場合、マスターＡＡＳ１００−Ｍのキャリブレーション用送受信機５１からＵＬキャリブレーション信号を送信し、そのＵＬキャリブレーション信号をスレーブＡＡＳ１００−Ｓの各受信機ＲＸで受信できる。
【００４８】
従って、マスターＡＡＳ１００−Ｍ及びスレーブＡＡＳ１００−Ｓの各送信機ＴＸのＤＬキャリブレーションを一括して行うことができると共に、各受信機ＲＸのＵＬキャリブレーションを一括して行うことができる。これにより、マスターＡＡＳ１００−Ｍ及びスレーブＡＡＳ１００−Ｓの各送受信機３１の振幅及び位相のばらつきを補償することができる。
【００４９】
（２）実施の形態２
本実施の形態２は、３台以上のＡＡＳを備える無線通信システムの例である。無線通信システムが３台以上のＡＡＳを備える場合、このうちの１台がマスターＡＡＳとなり、残りの２台以上がスレーブＡＡＳとなる。なお、３台以上のＡＡＳのうちのどれがマスターＡＡＳになるかは、２台のＡＡＳ時同様、外部から各ＡＡＳへの制御で任意に設定する事ができるが、ここでは予め制御・設定されているものとする。
【００５０】
まず、本実施の形態２に係る無線通信システムの構成について説明する。図９は、本実施の形態２に係る無線通信システムの構成の一例を示す図である。
図９に示されるように、本実施の形態２に係る無線通信システムは、実施の形態１と比較して、スレーブＡＡＳ１００−Ｓとして、複数台（Ｌ台。Ｌは２以上の自然数）のスレーブＡＡＳ１００−Ｓ１〜１００−ＳＬを備える点と、ハブ（ＨＵＢ）２００及びハイブリッド（ＨＹＢ）３００を追加した点と、が異なる。
【００５１】
ハイブリッド３００は、マスターＡＡＳ１００−ＭのＲＦ用出力ポート５５及びＲＦ用入力ポート５６にＲＦケーブルを介して接続されると共に、スレーブＡＡＳ１００−Ｓ１〜１００−ＳＬの各々のＲＦ用出力ポート５５及びＲＦ用入力ポート５６にＲＦケーブルを介して接続される。ハイブリッド３００は第１分配合成器の一例である。
【００５２】
ハブ２００は、マスターＡＡＳ１００−Ｍのイーサネット用出力ポート６１及びイーサネット用入力ポート６２にイーサネットケーブルを介して接続されると共に、スレーブＡＡＳ１００−Ｓ１〜１００−ＳＬの各々のイーサネット用出力ポート６１及びイーサネット用入力ポート６２にイーサネットケーブルを介して接続される。ハブ２００は第２分配合成器の一例である。
なお、本実施の形態２において、上記以外の構成は、実施の形態１と同様である。
【００５３】
以下、本実施の形態２に係る無線通信システムのＤＬキャリブレーション動作及びＵＬキャリブレーション動作について説明する。
【００５４】
＜ＤＬキャリブレーション動作＞
まず、ＤＬキャリブレーション動作について説明する。図１０は、本実施の形態２に係る無線通信システムのＤＬキャリブレーション動作の一例を説明する図である。なお、本実施の形態２に係るマスターＡＡＳ１００−Ｍ及びスレーブＡＡＳ１００−Ｓ１〜１００−ＳＬの個々のＤＬキャリブレーション動作は、それぞれ、図４及び図５に示したものと同様である。また、マスターＡＡＳ１００−Ｍ及びスレーブＡＡＳ１００−Ｓ１〜１００−ＳＬには、共通のＤＬキャリブレーション信号ＩＱが予め設定されているものとする。
【００５５】
図１０、図４、及び図５に示されるように、マスターＡＡＳ１００−Ｍにおいては、ベースバンド部２０は、予め設定されたＤＬキャリブレーション信号ＩＱを各送信機ＴＸに出力する。各送信機ＴＸは、ＤＬキャリブレーション信号ＩＱをＤＬキャリブレーション信号に変換する。各送信機ＴＸで変換されたＤＬキャリブレーション信号は、送信アンプ３２及びスイッチ３４を介して、分配合成器５３に出力され、分配合成器５３で合成される。分配合成器５３で合成されたＤＬキャリブレーション信号は、スイッチ５４，５２を介してキャリブレーション用送受信機５１に出力される。
【００５６】
一方、スレーブＡＡＳ１００−Ｓ１においても、ベースバンド部２０は、予め設定されたＤＬキャリブレーション信号ＩＱを各送信機ＴＸに出力する。各送信機ＴＸは、ＤＬキャリブレーション信号ＩＱをＤＬキャリブレーション信号に変換する。各送信機ＴＸで変換されたＤＬキャリブレーション信号は、送信アンプ３２及びスイッチ３４を介して、分配合成器５３に出力され、分配合成器５３で合成される。分配合成器５３で合成されたＤＬキャリブレーション信号は、スイッチ５４及びＲＦ用出力ポート５５を介して、マスターＡＡＳ１００−Ｍに送信される。
スレーブＡＡＳ１００−Ｓ２〜１００−ＳＬにおいても、スレーブＡＡＳ１００−Ｓ１と同様の上記の動作が行われる。
【００５７】
マスターＡＡＳ１００−Ｍにおいては、スレーブＡＡＳ１００−Ｓ１〜１００−ＳＬの各々から送信されたＤＬキャリブレーション信号は、ＲＦ用入力ポート５６から入力され、スイッチ５４，５２を介してキャリブレーション用送受信機５１に出力される。以上より、マスターＡＡＳ１００−Ｍのキャリブレーション用送受信機５１には、マスターＡＡＳ１００−Ｍ及びスレーブＡＡＳ１００−Ｓ１〜１００−ＳＬの各送信機ＴＸから送信されたＤＬキャリブレーション信号が揃うことになる。キャリブレーション用送受信機５１は、これらＤＬキャリブレーション信号をＤＬキャリブレーション信号ＩＱに変換してベースバンド部２０に出力する。ベースバンド部２０は、マスターＡＡＳ１００−Ｍ及びスレーブＡＡＳ１００−Ｓ１〜１００−ＳＬの各送信機ＴＸから送信されたＤＬキャリブレーション信号のＤＬキャリブレーション信号ＩＱと、元のＤＬキャリブレーション信号ＩＱと、の振幅及び位相の差分を測定することにより、マスターＡＡＳ１００−Ｍ及びスレーブＡＡＳ１００−Ｓ１〜１００−ＳＬの各送信機ＴＸから送信されたＤＬキャリブレーション信号の振幅及び位相のばらつきを学習する。ベースバンド部２０は、その学習結果を基に、マスターＡＡＳ１００−Ｍ及びスレーブＡＡＳ１００−Ｓ１〜１００−ＳＬの各送信機ＴＸのウェイトを計算する。ベースバンド部２０は、スレーブＡＡＳ１００−Ｓ１〜１００−ＳＬの各送信機ＴＸのウェイトを、イーサネット用出力ポート６１を介して、スレーブＡＡＳ１００−Ｓ１〜１００−ＳＬの各々に送信する。
【００５８】
以上でＤＬキャリブレーション動作が終了する。
以降、通常のＤＬ動作時には、マスターＡＡＳ１００−Ｍのベースバンド部２０は、マスターＡＡＳ１００−Ｍの各送信機ＴＸに対し、その送信機ＴＸについて自身で計算したウェイトで重み付けしたＤＬ信号ＩＱを出力することになる。
一方、スレーブＡＡＳ１００−Ｓ１〜１００−ＳＬの各ベースバンド部２０は、自ＡＡＳ１００の各送信機ＴＸに対し、その送信機ＴＸについてマスターＡＡＳ１００−Ｍのベースバンド部２０で計算されたウェイトで重み付けしたＤＬ信号ＩＱを出力することになる。
【００５９】
＜ＵＬキャリブレーション動作＞
次に、ＵＬキャリブレーション動作について説明する。図１１は、本実施の形態２に係る無線通信システムのＵＬキャリブレーション動作の一例を説明する図である。なお、本実施の形態２に係るマスターＡＡＳ１００−Ｍ及びスレーブＡＡＳ１００−Ｓ１〜１００−ＳＬの個々のＵＬキャリブレーション動作は、それぞれ、図７及び図８に示したものと同様である。また、マスターＡＡＳ１００−Ｍ及びスレーブＡＡＳ１００−Ｓ１〜１００−ＳＬには、共通のＵＬキャリブレーション信号ＩＱが予め設定されているものとする。
【００６０】
図１１、図７、及び図８に示されるように、マスターＡＡＳ１００−Ｍにおいては、ベースバンド部２０は、予め設定されたＵＬキャリブレーション信号ＩＱをキャリブレーション用送受信機５１に出力する。キャリブレーション用送受信機５１は、ＵＬキャリブレーション信号ＩＱをＵＬキャリブレーション信号に変換する。キャリブレーション用送受信機５１で変換されたからＵＬキャリブレーション信号は、スイッチ５２，５４を介して、分配合成器５３に出力され、分配合成器５３で分配される。分配合成器５３で分配されたＵＬキャリブレーション信号は、スイッチ３４及び受信アンプ３３を介して、各受信機ＲＸに出力される。各受信機ＲＸは、ＵＬキャリブレーション信号をＵＬキャリブレーション信号ＩＱに変換してベースバンド部２０に出力する。ベースバンド部２０は、各受信機ＲＸで受信されたＵＬキャリブレーション信号のＵＬキャリブレーション信号ＩＱと、元のＵＬキャリブレーション信号ＩＱと、の振幅及び位相の差分を測定する。また、キャリブレーション用送受信機５１で変換されたＵＬキャリブレーション信号は、スイッチ５２，５４及びＲＦ用出力ポート５５を介して、スレーブＡＡＳ１００−Ｓ１〜１００−ＳＬの各々にも送信される。
【００６１】
一方、スレーブＡＡＳ１００−Ｓ１においては、マスターＡＡＳ１００−Ｍから送信されたＵＬキャリブレーション信号は、ＲＦ用入力ポート５６から入力され、スイッチ５４を介して分配合成器５３に出力され、分配合成器５３で分配される。分配合成器５３で分配されたＵＬキャリブレーション信号は、スイッチ３４及び受信アンプ３３を介して、各受信機ＲＸに出力される。各受信機ＲＸは、ＵＬキャリブレーション信号をＵＬキャリブレーション信号ＩＱに変換してベースバンド部２０に出力する。ベースバンド部２０は、各受信機ＲＸで受信されたＵＬキャリブレーション信号のＵＬキャリブレーション信号ＩＱと、元のＵＬキャリブレーション信号ＩＱと、の振幅及び位相の差分を測定する。この測定結果は、ＵＬキャリブレーション測定結果として、イーサネット用出力ポート６１を介して、マスターＡＡＳ１００−Ｍに送信される。
スレーブＡＡＳ１００−Ｓ２〜１００−ＳＬにおいても、スレーブＡＡＳ１００−Ｓ１と同様の上記の動作が行われる。
【００６２】
マスターＡＡＳ１００−Ｍにおいては、スレーブＡＡＳ１００−Ｓ１〜１００−ＳＬの各々から送信されたスレーブＡＡＳ１００−Ｓの各受信機ＲＸのＵＬキャリブレーション測定結果は、イーサネット用入力ポート６２から入力され、ベースバンド部２０に出力される。以上より、ベースバンド部２０には、マスターＡＡＳ１００−Ｍ及びスレーブＡＡＳ１００−Ｓ１〜１００−ＳＬの各受信機ＲＸのＵＬキャリブレーション測定結果が揃うことになる。ベースバンド部２０は、これらＵＬキャリブレーション測定結果を基に、マスターＡＡＳ１００−Ｍ及びスレーブＡＡＳ１００−Ｓ１〜１００−ＳＬの各受信機ＲＸで受信されたＵＬキャリブレーション信号の振幅及び位相のばらつきを学習する。ベースバンド部２０は、その学習結果を基に、マスターＡＡＳ１００−Ｍ及びスレーブＡＡＳ１００−Ｓ１〜１００−ＳＬの各受信機ＲＸのウェイトを計算する。ベースバンド部２０は、スレーブＡＡＳ１００−Ｓ１〜１００−ＳＬの各受信機ＲＸのウェイトを、イーサネット用出力ポート６１を介して、スレーブＡＡＳ１００−Ｓ１〜１００−ＳＬの各々に送信する。
【００６３】
以上でＵＬキャリブレーション動作が終了する。
以降、通常のＵＬ動作には、マスターＡＡＳ１００−Ｍのベースバンド部２０は、マスターＡＡＳ１００−Ｍの各受信機ＲＸから出力されたＵＬ信号ＩＱに対し、その受信機ＲＸについて自身で計算したウェイトで重み付けすることになる。
一方、スレーブＡＡＳ１００−Ｓ１〜１００−ＳＬの各ベースバンド部２０は、自ＡＡＳ１００の各受信機ＲＸから出力されたＵＬ信号ＩＱに対し、その受信機ＲＸについてマスターＡＡＳ１００−Ｍのベースバンド部２０で計算されたウェイトで重み付けすることになる。
【００６４】
上述したように本実施の形態２によれば、３台以上のＡＡＳ１００の１台がマスターＡＡＳ１００−Ｍ、残りの２台以上がスレーブＡＡＳ１００−Ｓ１〜１００−ＳＬとなり、マスターＡＡＳ１００−ＭのＲＦ用出力ポート５５及びＲＦ用入力ポート５６を、ＲＦケーブルを介して、ハイブリッド３００に接続すると共に、スレーブＡＡＳ１００−Ｓ１〜１００−ＳＬの各々のＲＦ用出力ポート５５及びＲＦ用入力ポート５６を、ＲＦケーブルを介して、ハイブリッド３００に接続する。マスターＡＡＳ１００−Ｍ及びスレーブＡＡＳ１００−Ｓ１〜１００−ＳＬの個々のＤＬキャリブレーション動作及びＵＬキャリブレーション動作は、実施の形態１と同様である。
【００６５】
従って、２台以上のスレーブＡＡＳ１００−Ｓ１〜１００−ＳＬがある場合でも、マスターＡＡＳ１００−Ｍ及びスレーブＡＡＳ１００−Ｓ１〜１００−ＳＬの各送信機ＴＸのＤＬキャリブレーションを一括して行うことができると共に、各受信機ＲＸのＵＬキャリブレーションを一括して行うことができる。これにより、マスターＡＡＳ１００−Ｍ及びスレーブＡＡＳ１００−Ｓ１〜１００−ＳＬの各送受信機３１の振幅及び位相のばらつきを補償することができる。
【００６６】
以上、実施の形態を参照して本開示について説明したが、本開示は上記の実施の形態に限定されるものではない。本開示の構成や詳細には、本願発明のスコープ内で当業者が理解し得る様々な変更をすることができる。
【００６７】
例えば、上記の実施の形態では、マスターＡＡＳとスレーブＡＡＳを、送信用及び受信用の２本のＲＦケーブル及び２本のイーサネットケーブルを介して接続していたが、本開示は、これに限定されるものではない。本開示は、マスターＡＡＳとスレーブＡＡＳを、送受信共通の１本のＲＦケーブル及び１本のイーサネットケーブルを介して接続することも可能である。
【００６８】
また、上記の実施の形態では、マスターＡＡＳとスレーブＡＡＳとの接続に、イーサネットケーブルを用いたが、本開示は、これに限定されるものではない。本開示は、デジタル信号を伝送可能であれば、任意のネットワークケーブルを用いることが可能である。ネットワークケーブルは、高速シリアル伝送路等である。
【００６９】
また、上記の実施の形態では、複数台のスレーブＡＡＳがある場合、マスターＡＡＳと複数台のスレーブＡＡＳとを、ハブ及びハイブリッドを介して接続していたが、本開示は、これに限定されるものではない。本開示は、マスターＡＡＳと複数台のスレーブＡＡＳとを数珠つなぎのように接続することが可能である。
【００７０】
また、上記の実施の形態では、マスターＡＡＳとスレーブＡＡＳとを同様の構成としていたが、本開示は、これに限定されるものではない。スレーブＡＡＳとしてのみ用いるＡＡＳであれば、キャリブレーション用送受信機５１及びスイッチ５２は不要である。そのため、本開示は、スレーブＡＡＳとしてのみ用いるＡＡＳについては、キャリブレーション用送受信機５１及びスイッチ５２を除去した構成とすることが可能である。
また、本開示は、ＡＡＳ同士は、隣接して配置することも可能であるし、離れて配置することも可能である。
【００７１】
また、上記の実施の形態では、本開示のＡＡＳをハードウェアの構成として説明したが、本開示は、これに限定されるものではない。本開示は、ＡＡＳの任意の処理を、ＣＰＵ（Central Processing Unit）等のプロセッサにコンピュータプログラムを実行させることにより実現することも可能である。
【００７２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
上記の実施の形態の一部又は全部は、以下の付記のようにも記載されうるが、以下には限られない。
（付記１）
複数の無線通信装置を備え、
前記複数の無線通信装置の１つがマスター装置となり、残りがスレーブ装置となり、
前記マスター装置及び前記スレーブ装置は、
各々が送信機及び受信機からなる複数の送受信機と、
ＲＦ（Radio Frequency）ケーブルを介して他の無線通信装置に接続される第１ポートと、を備え、
前記マスター装置は、さらに、
キャリブレーション用送受信機を備え、
前記マスター装置の前記第１ポートと前記スレーブ装置の前記第１ポートとが前記ＲＦケーブルを介して接続され、
送信キャリブレーションを実行する場合、
前記スレーブ装置の各送信機は、前記ＲＦケーブルを介して、前記マスター装置の前記キャリブレーション用送受信機に送信キャリブレーション信号を送信し、
受信キャリブレーションを実行する場合、
前記マスター装置の前記キャリブレーション用送受信機は、前記ＲＦケーブルを介して、前記スレーブ装置の各受信機に受信キャリブレーション信号を送信する、
無線通信システム。
（付記２）
前記マスター装置及び前記スレーブ装置は、
ネットワークケーブルを介して他の無線通信装置に接続される第２ポートと、
制御部と、をさらに備え、
前記マスター装置の前記第２ポートと前記スレーブ装置の前記第２ポートとが前記ネットワークケーブルを介して接続され、
送信キャリブレーションを実行する場合、
前記マスター装置の前記キャリブレーション用送受信機は、前記スレーブ装置の各送信機から前記ＲＦケーブルを介して送信された送信キャリブレーション信号を受信すると共に、前記マスター装置の各送信機から送信された送信キャリブレーション信号も受信し、
前記マスター装置の前記制御部は、前記マスター装置及び前記スレーブ装置の各送信機から送信された送信キャリブレーション信号と、元の送信キャリブレーション信号と、の振幅及び位相の差分を測定し、該測定結果を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
付記１に記載の無線通信システム。
（付記３）
受信キャリブレーションを実行する場合、
前記マスター装置の前記キャリブレーション用送受信機は、前記マスター装置の各受信機にも受信キャリブレーション信号を送信し、
前記スレーブ装置の前記制御部は、前記スレーブ装置の各受信機で受信された受信キャリブレーション信号と、元の受信キャリブレーション信号と、の振幅及び位相の差分を測定し、該測定結果を、前記ネットワークケーブルを介して、前記マスター装置の前記制御部に送信し、
前記マスター装置の前記制御部は、前記マスター装置の各受信機で受信された受信キャリブレーション信号と、元の受信キャリブレーション信号と、の振幅及び位相の差分を測定し、該測定結果と、前記スレーブ装置の各受信機で受信された受信キャリブレーション信号の測定結果と、を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
付記２に記載の無線通信システム。
（付記４）
第１分配合成器と、
第２分配合成器と、をさらに備え、
前記無線通信装置が３つ以上で、前記スレーブ装置が複数となる場合、
前記マスター装置の前記第１ポートを、前記ＲＦケーブルを介して前記第１分配合成器に接続すると共に、複数の前記スレーブ装置の各々の前記第１ポートを、前記ＲＦケーブルを介して前記第１分配合成器に接続し、
前記マスター装置の前記第２ポートを、前記ネットワークケーブルを介して前記第２分配合成器に接続すると共に、複数の前記スレーブ装置の各々の前記第２ポートを、前記ネットワークケーブルを介して前記第２分配合成器に接続する、
付記２又は３に記載の無線通信システム。
（付記５）
１つがマスター装置となり、残りがスレーブ装置となる複数の無線通信装置のうちの１つの無線通信装置であって、
各々が送信機及び受信機からなる複数の送受信機と、
ＲＦ（Radio Frequency）ケーブルを介して他の無線通信装置に接続される第１ポートと、
キャリブレーション用送受信機と、を備え、
自装置が前記マスター装置となる状況では、前記第１ポートが前記スレーブ装置の前記第１ポートと前記ＲＦケーブルを介して接続され、
自装置が前記スレーブ装置となる状況では、前記第１ポートが前記マスター装置の前記第１ポートと前記ＲＦケーブルを介して接続され、
自装置が前記スレーブ装置となる状況で、送信キャリブレーションを実行する場合、各送信機は、前記ＲＦケーブルを介して、前記マスター装置の前記キャリブレーション用送受信機に送信キャリブレーション信号を送信し、
自装置が前記マスター装置となる状況で、受信キャリブレーションを実行する場合、前記キャリブレーション用送受信機は、前記ＲＦケーブルを介して、前記スレーブ装置の各受信機に受信キャリブレーション信号を送信する、
無線通信装置。
（付記６）
ネットワークケーブルを介して他の無線通信装置に接続される第２ポートと、
制御部と、をさらに備え、
自装置が前記マスター装置となる状況では、前記第２ポートが前記スレーブ装置の前記第２ポートと前記ネットワークケーブルを介して接続され、
自装置が前記スレーブ装置となる状況では、前記第２ポートが前記マスター装置の前記第２ポートと前記ネットワークケーブルを介して接続され、
自装置が前記マスター装置となる状況で、送信キャリブレーションを実行する場合、前記キャリブレーション用送受信機は、前記スレーブ装置の各送信機から前記ＲＦケーブルを介して送信された送信キャリブレーション信号を受信すると共に、前記マスター装置の各送信機から送信された送信キャリブレーション信号も受信し、前記制御部は、前記マスター装置及び前記スレーブ装置の各送信機から送信された送信キャリブレーション信号と、元の送信キャリブレーション信号と、の振幅及び位相の差分を測定し、該測定結果を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
付記５に記載の無線通信装置。
（付記７）
自装置が前記マスター装置となる状況で、受信キャリブレーションを実行する場合、前記キャリブレーション用送受信機は、前記マスター装置の各受信機にも受信キャリブレーション信号を送信し、
自装置が前記スレーブ装置となる状況で、受信キャリブレーションを実行する場合、前記制御部は、前記スレーブ装置の各受信機で受信された受信キャリブレーション信号と、元の受信キャリブレーション信号と、の振幅及び位相の差分を測定し、該測定結果を、前記ネットワークケーブルを介して、前記マスター装置の前記制御部に送信し、
自装置が前記マスター装置となる状況で、受信キャリブレーションを実行する場合、前記制御部は、前記マスター装置の各受信機で受信された受信キャリブレーション信号と、元の受信キャリブレーション信号と、の振幅及び位相の差分を測定し、該測定結果と、前記スレーブ装置の各受信機で受信された受信キャリブレーション信号の測定結果と、を基に、前記マスター装置及び前記スレーブ装置の各送信機のウェイトを計算し、前記スレーブ装置の各送信機のウェイトを、前記ネットワークケーブルを介して、前記スレーブ装置の前記制御部に送信する、
付記６に記載の無線通信装置。
（付記８）
１つがマスター装置となり、残りがスレーブ装置となる複数の無線通信装置のうちの１つの無線通信装置による無線通信方法であって、
前記無線通信装置は、各々が送信機及び受信機からなる複数の送受信機を備えるものであり、
自装置が前記マスター装置となる状況では、前記スレーブ装置とＲＦ（Radio Frequency）ケーブルを介して接続し、
自装置が前記スレーブ装置となる状況では、前記マスター装置と前記ＲＦケーブルを介して接続し、
自装置が前記スレーブ装置となる状況で、送信キャリブレーションを実行する場合、各送信機から、前記ＲＦケーブルを介して、前記マスター装置に送信キャリブレーション信号を送信し、
自装置が前記マスター装置となる状況で、受信キャリブレーションを実行する場合、前記ＲＦケーブルを介して、前記スレーブ装置の各受信機に受信キャリブレーション信号を送信する、
無線通信方法。
（付記９）
自装置が前記マスター装置となる状況では、前記スレーブ装置とネットワークケーブルを介して接続し、
自装置が前記スレーブ装置となる状況では、前記マスター装置と前記ネットワークケーブルを介して接続し、
自装置が前記マスター装置となる状況で、送信キャリブレーションを実行する場合、前記スレーブ装置の各送信機から前記ＲＦケーブルを介して送信された送信キャリブレーション信号を受信すると共に、前記マスター装置の各送信機から送信された送信キャリブレーション信号も受信し、前記マスター装置及び前記スレーブ装置の各送信機から送信された送信キャリブレーション信号と、元の送信キャリブレーション信号と、の振幅及び位相の差分を測定し、該測定結果を基に、前記マスター装置及び前記スレーブ装置の各送信機のウェイトを計算し、前記スレーブ装置の各送信機のウェイトを、前記ネットワークケーブルを介して、前記スレーブ装置に送信する、
付記８に記載の無線通信方法。
（付記１０）
自装置が前記マスター装置となる状況で、受信キャリブレーションを実行する場合、前記マスター装置の各受信機にも受信キャリブレーション信号を送信し、
自装置が前記スレーブ装置となる状況で、受信キャリブレーションを実行する場合、前記スレーブ装置の各受信機で受信された受信キャリブレーション信号と、元の受信キャリブレーション信号と、の振幅及び位相の差分を測定し、該測定結果を、前記ネットワークケーブルを介して、前記マスター装置に送信し、
自装置が前記マスター装置となる状況で、受信キャリブレーションを実行する場合、前記マスター装置の各受信機で受信された受信キャリブレーション信号と、元の受信キャリブレーション信号と、の振幅及び位相の差分を測定し、該測定結果と、前記スレーブ装置の各受信機で受信された受信キャリブレーション信号の測定結果と、を基に、前記マスター装置及び前記スレーブ装置の各送信機のウェイトを計算し、前記スレーブ装置の各送信機のウェイトを、前記ネットワークケーブルを介して、前記スレーブ装置に送信する、
付記９に記載の無線通信方法。
（付記１１）
１つがマスター装置となり、残りがスレーブ装置となる複数の無線通信装置のうちの１つの無線通信装置に実行させるためのプログラムを格納した非一時的なコンピュータ可読媒体であって、
前記無線通信装置は、各々が送信機及び受信機からなる複数の送受信機を備えるものであり、
前記プログラムは、
自装置が前記マスター装置となる状況では、前記スレーブ装置とＲＦ（Radio Frequency）ケーブルを介して接続する手順と、
自装置が前記スレーブ装置となる状況では、前記マスター装置と前記ＲＦケーブルを介して接続する手順と、
自装置が前記スレーブ装置となる状況で、送信キャリブレーションを実行する場合、各送信機から、前記ＲＦケーブルを介して、前記マスター装置に送信キャリブレーション信号を送信する手順と、
自装置が前記マスター装置となる状況で、受信キャリブレーションを実行する場合、前記ＲＦケーブルを介して、前記スレーブ装置の各受信機に受信キャリブレーション信号を送信する手順と、
を含む、コンピュータ可読媒体。
【００７４】
この出願は、２０１８年３月１３日に出願された日本出願特願２０１８−０４５７３１を基礎とする優先権を主張し、その開示の全てをここに取り込む。
【符号の説明】
【００７５】
１０  光トランシーバ
２０  ベースバンド部
３０  フロントエンド部
３１  送受信機
３２  送信アンプ
３３  受信アンプ
３４，５２，５４  スイッチ
４０  アンテナ
５１  キャリブレーション用送受信機
５３  分配合成器
５５  ＲＦ用出力ポート
５６  ＲＦ用入力ポート
６１  イーサネット用出力ポート
６２  イーサネット用入力ポート
１００  ＡＡＳ
１００−Ｍ  マスターＡＡＳ
１００−Ｓ，１００−Ｓ１〜１０−ＳＬ  スレーブＡＡＳ
２００  ハブ
３００  ハイブリッド
【図１】
0006881667.tif 000002
【図２】
0006881667.tif 000003
【図３】
0006881667.tif 000004
【図４】
0006881667.tif 000005
【図５】
0006881667.tif 000006
【図６】
0006881667.tif 000007
【図７】
0006881667.tif 000008
【図８】
0006881667.tif 000009
【図９】
0006881667.tif 000010
【図１０】
0006881667.tif 000011
【図１１】
0006881667.tif 000012